(57)【要約】【課題】数ｋｍもある計測対象平面の凹凸状態を、より短時間に、より容易に計測することができる凹凸計測装置を提供する。【解決手段】本体部１０と、本体部１０に取り付けられた複数の走行用車輪１１と、計測対象平面上Ｓ２を走行しながら前記計測対象平面Ｓ２に接触して通過した位置の凹凸量を所定タイミングにて計測する凹凸計測手段２０と、を備えている凹凸計測装置１により、計測対象平面Ｓ２の凹凸状態をより短時間に、より容易に計測可能となる。【選択図】図１
2015155821.tif 000002
【特許請求の範囲】
【請求項１】
本体部と、
前記本体部に取り付けられた複数の走行用車輪と、
計測対象平面上を走行しながら前記計測対象平面に接触して通過した位置の凹凸量を所定タイミングにて計測する凹凸計測手段と、を備えている、
凹凸計測装置。
【請求項２】
請求項１に記載の凹凸計測装置であって、
前記凹凸計測手段は、
前記計測対象平面に接するように前記本体部の下方に配置されて、前記本体部に対して上下方向に移動可能に保持された凹凸計測用車輪と、
前記本体部に対する前記凹凸計測用車輪の上下方向の位置に基づいた前記凹凸量を前記所定タイミングにて検出する位置検出手段と、を有している、
凹凸計測装置。
【請求項３】
請求項２に記載の凹凸計測装置であって、
前記本体部の前後方向傾斜角度と、左右方向傾斜角度と、を検出する傾斜検出手段を備え、
前記傾斜検出手段にて検出した前後方向傾斜角度と左右方向傾斜角度と、に基づいて、前記凹凸計測手段にて検出した凹凸量を補正する、
凹凸計測装置。
【請求項４】
請求項１〜３のいずれか一項に記載の凹凸計測装置であって、
前記計測対象平面上における前記凹凸計測装置の走行距離に応じたタイミング信号を出力する計測タイミング発生手段と、
パーソナルコンピュータと、
アナログ信号の検出信号を出力する単数または複数のアナログ検出手段と、
デジタル信号の検出信号を出力する単数または複数のデジタル検出手段と、を有し、
前記パーソナルコンピュータは、前記アナログ信号または前記デジタル信号、のいずれかを取り込み可能な１個のスロットを有しており、
前記アナログ信号と、前記デジタル信号と、のそれぞれを取り込んで、取り込んだ信号をデジタル信号として前記スロットに向けて出力する拡張インターフェースを用いて、前記アナログ検出手段からのアナログ信号と、前記デジタル検出手段からのデジタル信号と、を前記計測タイミング発生手段からのタイミング信号に同期させて前記パーソナルコンピュータに取り込む、
凹凸計測装置。
【請求項５】
請求項１〜４のいずれか一項に記載の凹凸計測装置であって、
複数の前記走行用車輪は、前記計測対象平面の状態に応じて走行方向に対する左右方向の間隔を調整可能とする車輪間隔調整機構を有している、
凹凸計測装置。
【請求項６】
請求項１〜５のいずれか一項に記載の凹凸計測装置であって、
前記凹凸計測手段が左右方向に複数配置されて、複数の前記凹凸計測手段のそれぞれの位置に対応する前記計測対象平面上の凹凸量を前記所定タイミングにて計測する、
凹凸計測装置。
【請求項７】
請求項１〜６のいずれか一項に記載の凹凸計測装置であって、
前記計測対象平面上あるいは前記計測対象平面の近傍に設定した基準位置に対して、前記計測対象平面上を走行して前記基準位置から離れた位置に移動した前記凹凸計測装置の上下方向の位置を検出するための高度計測用スタッフを備え、
前記高度計測用スタッフには、前記基準位置からの視認を支援する複数の光源が配置されている、
凹凸計測装置。
【発明の詳細な説明】
【技術分野】
【０００１】
本発明は、計測対象平面の凹凸状態を計測する凹凸計測装置に関する。
【背景技術】
【０００２】
例えば水力発電施設には、ダム湖から導水路を介して取水して発電に利用するタイプのものがある。水力発電施設では、取水量が厳密に決められているため、取水量は導水路内の水深等で管理されている。ここで図１１〜図１４を用いて、水力発電施設の例、及び当該水力発電施設における導水路Ｓ１の底面である導水路底面について説明する。なお導水路底面は、計測対象平面Ｓ２に相当する。図１１は、水力発電施設の例の全体構成を示す概略図である。図１１に示すように、例えば水力発電施設は、ダムＤ１、導水路Ｓ１（導水路トンネル）、水圧鉄管Ｋ１、発電所Ｈ１にて構成されている。ダムＤ１にてせき止められたダム湖Ｗ１の水は、ゲートＧ１を介して山Ｍ１に形成された導水路Ｓ１、及び山Ｍ１の傾斜面に設けられた水圧鉄管Ｋ１を経由して発電所Ｈ１に導かれ、発電に利用される。
【０００３】
図１２は、図１１におけるＡＡ部の拡大図である。ゲートＧ１が開口すると（上方に移動すると）、ダム湖Ｗ１内の水は導水路Ｓ１に導かれ、ゲートＧ１の開口量及びダム湖Ｗ１の水面高さに応じて導水路Ｓ１内に導かれた水の高さ（水深Ｈ）が変わる。図１３は、導水路Ｓ１内を流れる水の流量と水深Ｈとの関係を表すグラフであり、実線にて示すグラフＧＳは導水路が新しい場合（計測対象平面Ｓ２にほとんど凹凸が無い状態）の特性の例を示し、点線にて示すグラフＧＥは経年劣化した導水路の場合（計測対象平面Ｓ２に凹凸が形成された状態）による特性の例を示している。
【０００４】
ここで図１４は、図１１におけるＢ−Ｂ断面を示しており、導水路Ｓ１の断面を示している。初期の導水路Ｓ１の底面である計測対象平面Ｓ２は、凹凸がほとんど無くほぼ平坦に形成されており、導水路Ｓ１内を流れる水の抵抗が少なく、図１３におけるグラフＧＳの特性を示す。しかし、年月が経過すると計測対象平面Ｓ２の幅方向中央周辺部Ｓ３は、土砂や砂利等によって洗掘（流水により土砂が洗い流されて床面が掘られること。）されて（特に幅方向中央部は幅方向端部と比較して流速が速いので洗掘量が大きい）ところどころに洗掘凹部や凹凸部が形成されている。この洗掘凹部や凹凸部が、導水路Ｓ１内に導かれた水の流れの抵抗となり、図１３のグラフＧＥに示すような特性となる。図１３に示すように、導水路が初期の特性であるグラフＧＳに対して、導水路が経年劣化した特性であるグラフＧＥでは、同じ水深Ｈであっても、流量が少なくなってしまう。従って、同じ水深Ｈで取水量を管理していても、初期の頃と比較して年月が経過した場合は取水量の減少により発電量が減少してしまうので好ましくない。そこで、年月が経過した導水路Ｓ１の計測対象平面Ｓ２の凹凸量を計測し、この凹凸量を少なくするように補修を行う作業が定期的に行われている。
【０００５】
なお、計測対象平面Ｓ２の凹凸量を計測する場合には、ゲートＧ１を閉じて導水路Ｓ１内の水を抜いた後、計測対象平面Ｓ２の凹凸量を計測するが、洗掘凹部や凹凸部に大小さまざまな水溜りが形成されるので、レーザの反射や超音波の反射を利用した非接触による距離計測手段では正確な凹凸量を検出できない。
【０００６】
計測対象平面の凹凸量の計測方法の従来の例の１つとして、適当な距離間隔で計測対象平面の表面を粘土で型取りし、型取りした粘土を持ち帰り、レーザを用いて粘土表面の凹凸量を計測する計測方法がある。
【０００７】
また例えば特許文献１には、鉛直方向に形成された穴壁の内壁の凹凸を計測する凹凸計測装置が記載されている。この凹凸計測装置には、水平方向への移動量を計測する第１計測手段の先端に、穴壁の内壁に接触する接触子が取り付けられている。そして穴壁内には、鉛直方向に移動するスライド軸部が挿通され、スライド軸部の先端に第１計測手段及び接触子が取り付けられている。
【０００８】
また例えば特許文献２には、計測対象平面上に直立４脚とアクリル製天板からなる架台を載置し、水準器をアクリル製天板に乗せて脚の長さを調節することにより、天板を水平に保ち、レーザ測距装置を天板に載せた凹凸計測装置が記載されている。この凹凸計測装置は、レーザ測距装置から計測対象平面までの鉛直下方向距離を計測することにより、計測平面の凹凸を計測し、計測データをコンピュータで解析して計測対象平面の凹凸をデータ化している。
【先行技術文献】
【特許文献】
【０００９】
【特許文献１】特開２００９−１１５５８６号公報
【特許文献２】特開平９−２９７０１５号公報
【発明の概要】
【発明が解決しようとする課題】
【００１０】
粘土で型取りする方法では、数ｋｍもある導水路の計測対象平面の凹凸量を計測するには、多大な時間と手間がかかるので好ましくない。
【００１１】
また、特許文献１に記載の凹凸計測装置を適用した場合、数ｋｍもある導水路に対して、ほぼ水平方向に、数ｋｍものスライド軸部を用意しなければならないので現実的でない。またスライド軸部が重量で湾曲してしまい、微細な凹凸量の検出には適していない。また、短いスライド軸部を用いて計測と移動を繰り返すことも可能であるが、手間と時間がかかりすぎて現実的でない。
【００１２】
また、特許文献２に記載の凹凸計測装置を適用した場合、数ｋｍもある導水路の計測対象平面を覆う架台を用意してレーザ測距装置で計測対象平面の凹凸を計測しなければならない。あるいは、それよりも狭い範囲の計測対象平面を覆う架台を用意して、その範囲の計測対象平面の凹凸を計測後、また別の範囲の計測対象平面を計測し、徐々に移動させてこれを繰り返し、全ての計測対象平面の凹凸を計測しなければならない。前者の計測方法に用いる架台を作成するのは材料調達の点から言っても現実的ではない。また、後者は、架台を何度も移動させて計測しなければならず、時間がかかりすぎて現実的ではなく、移動前と後の天板の水準の統一性にも問題が発生する。よって、特許文献２に記載の凹凸計測装置は計測対象平面の凹凸の計測には適していない。また、そもそも計測対象平面上に水溜りがある場合にはレーザを使用して凹凸を計測することはできない。
【００１３】
本発明は、このような点に鑑みて創案されたものであり、数ｋｍもある計測対象平面の凹凸状態を、より短時間に、より容易に計測することができる凹凸計測装置を提供することを課題とする。
【課題を解決するための手段】
【００１４】
上記課題を解決するため、本発明に係る凹凸計測装置は次の手段をとる。
【００１５】
まず、本発明の第１の発明は、本体部と、前記本体部に取り付けられた複数の走行用車輪と、計測対象平面上を走行しながら前記計測対象に接触して通過した位置の凹凸量を所定タイミングにて計測する凹凸計測手段と、を備えている、凹凸計測装置である。
【００１６】
この第１の発明によれば、例えば計測対象平面上に水溜りがあったとしても、物理的に計測対象平面に前記凹凸計測手段が接するため、レーザの反射や超音波の反射を利用した非接触型の距離計測手段と比較して計測対象平面の凹凸量を正確に検出することが可能である。また、計測対象平面上を走行しながら凹凸量を計測するので、数ｋｍもある計測対象平面の凹凸を、より短時間に、より容易に計測することができる。
【００１７】
次に、本発明の第２の発明は、上記第１の発明に係る凹凸計測装置であって、前記凹凸計測手段は、前記計測対象平面に接するように前記本体部の下方に配置されて、前記本体部に対して上下方向に移動可能に保持された凹凸計測用車輪と、前記本体部に対する前記凹凸計測用車輪の上下方向の位置に基づいた前記凹凸量を前記所定タイミングにて検出する位置検出手段と、を有している、凹凸計測装置である。
【００１８】
この第２の発明によれば、凹凸計測用車輪と位置検出手段にて凹凸計測手段を適切に実現することができる。
【００１９】
次に、本発明の第３の発明は、上記第２の発明に係る凹凸計測装置であって、前記本体部の前後方向傾斜角度と、左右方向傾斜角度と、を検出する傾斜検出手段を備え、前記傾斜検出手段にて検出した前後方向傾斜角度と左右方向傾斜角度と、に基づいて、前記凹凸計測手段にて検出した凹凸量を補正する、凹凸計測装置である。
【００２０】
この第３の発明によれば、走行用車輪の取り付けられた本体部の前後方向及び左右方向の傾斜を計測して、前記凹凸計測手段による前記計測対象平面の凹凸量の計測値を鉛直方向への凹凸量へと適切に補正することができる。
【００２１】
次に、本発明の第４の発明は、上記第１〜第３のいずれか１つの発明に係る凹凸計測装置であって、前記計測対象平面上における前記凹凸計測装置の走行距離に応じたタイミング信号を出力する計測タイミング発生手段と、パーソナルコンピュータと、アナログ信号の検出信号を出力する単数または複数のアナログ検出手段と、デジタル信号の検出信号を出力する単数または複数のデジタル検出手段と、を有し、前記パーソナルコンピュータは、前記アナログ信号または前記デジタル信号、のいずれかを取り込み可能な１個のスロットを有しており、前記アナログ信号と、前記デジタル信号と、のそれぞれを取り込んで、取り込んだ信号をデジタル信号として前記スロットに向けて出力する拡張インターフェースを用いて、前記アナログ検出手段からのアナログ信号と、前記デジタル検出手段からのデジタル信号と、を前記計測タイミング発生手段からのタイミング信号に同期させて前記パーソナルコンピュータに取り込む、凹凸計測装置である。
【００２２】
この第４の発明によれば、パーソナルコンピュータのスロットが１個で、アナログ信号またはデジタル信号のいずれかしか取り込めない場合であっても、拡張インターフェースを用いることで、走行距離に応じた計測タイミングに同期して、アナログ信号とデジタル信号の双方を取り込むことが可能となる。
【００２３】
次に、本発明の第５の発明は、上記第１〜第４のいずれか１つの発明に係る凹凸計測装置であって、複数の前記走行用車輪は、前記計測対象平面の状態に応じて走行方向に対する左右方向の間隔を調整可能とする車輪間隔調整機構を有している、凹凸計測装置である。
【００２４】
この第５の発明によれば、前記計測対象平面の比較的大きな凹凸部分を避けて走行用車輪を走行させて本体部の振動を抑制することができるので、凹凸計測手段を用いて検出する凹凸量の精度をより向上させることができる。
【００２５】
次に、本発明の第６の発明は、上記第１〜第５のいずれか１つの発明に係る凹凸計測装置であって、前記凹凸計測手段が左右方向に複数配置されて、複数の前記凹凸計測手段のそれぞれの位置に対応する前記計測対象平面上の凹凸量を前記所定タイミングにて計測する、凹凸計測装置である。
【００２６】
この第６の発明によれば、本体部の進行方向に対して計測対象平面における左右方向の複数個所の計測対象平面上の凹凸量を同時に計測することができる。また、図１０を参照して後述するように、初期の計測対象平面との高さの差（進行方向及び左右方向の高さの差）を知ることにより、摩耗量（体積）を評価できる。
【００２７】
次に、本発明の第７の発明は、上記第１〜第６のいずれか１つの発明に係る凹凸計測装置であって、前記計測対象平面上あるいは前記計測対象平面の近傍に設定した基準位置に対して、前記計測対象平面上を走行して前記基準位置から離れた位置に移動した前記凹凸計測装置の上下方向の位置を検出するための高度計測用スタッフを備え、前記高度計測用スタッフには、前記基準位置からの視認を支援する複数の光源が配置されている、凹凸計測装置である。
【００２８】
この第７の発明によれば、例えば、作業者が基準位置から高度計測用スタッフを視認して凹凸計測装置の高度を計測する際、凹凸計測装置が暗所（例えば導水路トンネル内）にあっても、複数の光源が配置された高度計測用スタッフにより、視認性が向上するので、作業者による高度計測をより容易に、より正確に行うことを支援することができる。
【図面の簡単な説明】
【００２９】
【図１】本発明の凹凸計測装置の全体構成の一実施の形態を説明する図である。
【図２】凹凸計測手段の一実施の形態を説明する図である。
【図３】移動距離計測手段の一実施の形態を説明する図である。
【図４】走行用車輪の車輪間隔調整機構の一実施の形態を説明する図である。
【図５】本体部に取り付ける高度計測用スタッフの一実施の形態を説明する図である。
【図６】基準位置から凹凸計測装置の高度を計測する様子を説明する図である。
【図７】拡張インターフェースの構成と、各検出手段からの検出信号の流れを説明する図である。
【図８】凹凸計測装置のパーソナルコンピュータの処理手順を説明するフローチャートである。
【図９】走行距離・凹凸量特性のグラフの例と、走行距離・高度特性のグラフの例と、両グラフを合成した走行距離・計測対象平面状態特性のグラフの例を説明する図である。
【図１０】導水路断面における計測対象平面上の計測位置を示す図である。
【図１１】水力発電施設の例の全体構成を示す概略図である。
【図１２】図１１におけるＡＡ部の拡大図である。
【図１３】導水路Ｓ１内を流れる水の流量と水深Ｈとの関係を表すグラフである。
【図１４】図１１におけるＢ−Ｂ断面であり、導水路Ｓ１の断面図である。
【発明を実施するための形態】
【００３０】
以下に本発明を実施するための形態を図面を用いて説明する。
●［凹凸計測装置１の外観（図１）］
図１を参照して、本発明の凹凸計測装置１の例を説明する。本発明の凹凸計測装置１は、本体部１０、走行用車輪１１、蓄電池ケース１２、下方照明器１３、凹凸計測手段２０、高度計測支援手段３０、走行距離計測手段４０、傾斜検出手段５０、距離計測手段６０、拡張インターフェース７０、パーソナルコンピュータ８０（以下、ＰＣ８０と記載する）等を有している。また、本体部１０はフレーム部材と天板で箱状に形成されている。
【００３１】
また、蓄電池ケース１２内には、凹凸計測装置１の各機器や検出手段等に電力を供給する蓄電池が収容されている。また、下方照明器１３は、薄暗い導水路トンネル内であっても、凹凸計測装置１の下方及び凹凸計測装置１を誘導する作業者の足元を照らす。また、距離計測手段６０は、例えばレーザ測距センサであり、レーザ光６０Ｌを左右に出射して凹凸計測装置１と導水路トンネルの左右の壁面までの距離を計測する。作業者は当該左右の壁面までの距離を確認しながら凹凸計測装置１を誘導することで、導水路トンネル内の中央部の凹凸量を計測することができる。また、走行用車輪１１は、細かな凹凸を吸収するように外周部がゴム等の弾性体で構成されている。
【００３２】
●［凹凸計測手段２０の構成と動作（図２）］
図２を参照して、図１に示した凹凸計測装置１における凹凸計測手段２０の構成及び動作等について説明する。凹凸計測手段２０は、凹凸計測用車輪２１、光センサ２２（位置検出手段に相当）、上下移動部材２３、ブラケット（上下案内板）２４、付勢バネ２５等を有している。
【００３３】
凹凸計測用車輪２１は、細かな凹凸を計測可能となるように非弾性体の樹脂等で形成されており、計測対象平面Ｓ２上に接しながら、凹凸計測装置１の走行方向に沿って回転するように、上下移動部材２３の下端に取り付けられている。なお、凹凸計測用車輪２１の径は、より小さな凹凸量を検出できるように、適切な小さなサイズに設定されている。そして凹凸計測用車輪２１は、接触している計測対象平面Ｓ２の凹凸に応じて、本体部１０に対して上下に移動する。上下移動部材２３は、付勢バネ２５にて、本体部１０に対して下方に付勢されており、本体部１０に対して上下方向に移動可能である。そして上下移動部材２３は、下端に取り付けられている凹凸計測用車輪２１を計測対象平面Ｓ２に押し付けており、凹凸計測用車輪２１と一体となって上下方向に移動する。また上下移動部材２３には、目盛２６が設けられている。付勢バネ２５は、上下移動部材２３を、本体部１０に対して下方に付勢している。ブラケット２４は、本体部に固定されており、上下移動部材２３の上下方向の移動を許容するように上下移動部材２３を支持している。光センサ２２は、ブラケット２４に固定されており、上下移動部材２３に設けられた目盛２６を読み取り、読み取った目盛の値を、例えばデジタル信号にて出力する。
【００３４】
以上の構成により、凹凸計測手段２０は、凹凸を有する計測対象平面Ｓ２に当接した凹凸計測用車輪２１の上下方向の移動によって変化する上下移動部材２３の上下方向の位置を、光センサ２２が上下移動部材２３の目盛２６を読み取ることにより、計測対象平面Ｓ２の凹凸量を計測する。また、以上に説明した凹凸計測手段２０を有することで、例えば計測対象平面Ｓ２が数ｋｍにも達する導水路であっても、凹凸計測装置１は、計測対象平面Ｓ２上を進行（走行）しながら、計測対象平面Ｓ２の凹凸量を、容易に計測することができる。また凹凸計測用車輪２１が計測対象平面Ｓ２に常に接触するように付勢されているので、例えば水溜り等があっても、正確に計測対象平面Ｓ２の凹凸量を計測することができる。
【００３５】
なお、凹凸計測手段２０は、凹凸計測装置１の左右方向にわたって、複数設けられていてもよい。この場合、凹凸計測装置１に対して左右方向の複数個所の凹凸量を同時に計測することができるので便利である。また、図１０を参照して後述するように、計測対象平面Ｓ２の摩耗量を算出することもできる。また、ブラケット２４の代わりに（光センサ２２は残す）、より摩擦の少ないベアリングを使用したスライドレールによって上下移動部材２３を支持するのが好ましく、その他の方法で支持していてもよい。なお、重力によって上下移動部材２３は下方に付勢されるので、付勢バネ２５を省略してもよい。
【００３６】
●［走行距離計測手段４０の構成と動作（図３）］
図３を参照して、図１に示した凹凸計測装置１における走行距離計測手段４０の構成及び動作等について説明する。走行距離計測手段４０は、走行距離計測用車輪４１、ベベルギア４２、４３、エンコーダ４４、回動支持具４５、台座４６、回動軸部材４７等を有している。
【００３７】
台座４６は、本体部１０に固定されている。回動支持具４５は、一方端が回動軸部材４７により台座４６に取り付けられ、仮想回動軸Ｚ４０を中心として上下方向に回動可能に支持されており、他方端には走行距離計測用車輪４１が取り付けられている。走行距離計測用車輪４１は、回動支持具４５の他方端に取り付けられ、回動支持具４５及び回動支持具４５に取り付けられた各部材の重みにより計測対象平面Ｓ２に接地しながら、凹凸計測装置１の進行方向である前後方向に回転可能となっている。ベベルギア４２、４３は、回動支持具４５に連結して取り付けられ、走行距離計測用車輪４１の回転軸の回転をエンコーダ４４に伝達する。エンコーダ４４は、回動支持具４５に連結して取り付けられ、ベベルギア４２、４３を介して伝達された走行距離計測用車輪４１の回転軸の回転に応じて回転し凹凸計測装置１の走行距離に応じた信号（例えばデジタル信号）を出力する。なお、エンコーダ４４は、数１０ｃｍもの水深の水溜り等があっても水没しないように、計測対象平面Ｓ２から高い位置に配置されており、このエンコーダ４４に回転を伝達するためにベベルギア４２、４３を組み合わせている。
【００３８】
以上の構成から、仮想回動軸Ｚ４０を中心にして回動可能に取り付けられた回動支持具４５及び回動支持具４５に取り付けられた各部材の重みにより、回動支持具４５の先端に取り付けられた走行距離計測用車輪４１は下方に付勢されて計測対象平面Ｓ２に接地している。そして、作業者の誘導によって凹凸計測装置１が前方へ進行することにより、付勢されて接地した走行距離計測用車輪４１が前後方向に回転する。そして走行距離計測用車輪４１の回転は、ベベルギア４２、４３を介してエンコーダ４４に伝達され、エンコーダ４４から、走行距離に応じた信号が出力される。なお、エンコーダ４４は後述するカウンタ７５とあわせて計測タイミング発生手段に相当しており、走行距離に応じた信号がタイミング信号に相当している。
【００３９】
●［走行用車輪の車輪間隔調整機構の構成と動作（図４）］
図４を参照して、図１に示した凹凸計測装置１における走行用車輪１１の左右方向の間隔を調整可能な車輪間隔調整機構の構成及び動作等について説明する。車輪間隔調整機構は、走行用車輪１１と、車軸受け１４と、車軸１５とを有する。
【００４０】
車軸受け１４は、筒状をしており、走行用車輪１１の数だけ複数個水平に本体部１０の左右方向を向いて本体部１０に固定されている。車軸１５は、一方端に走行用車輪１１が取り付けられ、他方端の側は車軸受け１４内に挿通されている。そして車軸１５は、車軸受け１４の筒の中に左右方向に摺動可能に保持され、かつ、前後方向に回転可能に保持されている。走行用車輪１１は車軸受け１４の筒の中に保持された車軸１５の一方端に連結され、凹凸計測装置１が走行するに従って走行方向である前後方向に回転し、車軸１５の左右方向の摺動により左右方向に車輪間隔を調節可能である。
【００４１】
以上の構成により、車軸１５は、車軸受け１４に左右方向に摺動可能に保持されているので、作業者が、手動で左右の走行用車輪１１間の幅ＷＷ（走行用車輪１１の間隔）を調節することができるとともに、走行用車輪１１は、作業者による凹凸計測装置１の誘導に従って前後方向に回転可能である。これにより、計測対象平面Ｓ２の特に比較的大きな凹凸が発生している導水路の中央底部個所（図１４参照）を避けるように、左右の走行用車輪１１の幅ＷＷを作業者が自由に調整可能であり、本体部１０の振動を抑制することができるので、より正確に計測対象平面Ｓ２の凹凸量が計測できる。
【００４２】
●［高度計測支援手段３０の構成と動作（図５）］
図５を参照して、図１に示した凹凸計測装置１における高度計測支援手段３０の構成及び動作等について説明する。高度計測支援手段３０は、高度計測用スタッフ３１、鉛直合わせ重り３２、旋回軸部材３３、及び、ＬＥＤ照明３４等を有する。なお、高度計測用スタッフ３１には、目盛３５が設けられている。
【００４３】
高度計測用スタッフ３１は旋回軸部材３３を中心に本体部１０に対して左右に揺動可能に本体部１０に取り付けられている。また、鉛直合わせ重り３２が、高度計測用スタッフ３１の下端に取り付けられている。そして、目盛３５が高度計測用スタッフ３１の長さ方向に沿って設けられている。さらに、ＬＥＤ照明３４が目盛３５の左右両側に設けられている。
【００４４】
以上の構成により、高度計測用スタッフ３１は、鉛直合わせ重り３２にかかる重力により、常に鉛直方向を向くように揺動する。また凹凸計測装置１が導水路等の暗所を走行している場合であっても、遠方から凹凸計測装置１の高度を計測する際（高度の計測方法については後述する）、ＬＥＤ照明３４等照明が目盛３５を照らすので、作業者による目盛３５の視認を支援することができる。
【００４５】
●［凹凸計測装置１の高度計測方法の例（図６）］
図６を参照して、凹凸計測装置１の高度の計測方法の例について説明する。数ｋｍもある導水路内の底面である計測対象平面Ｓ２の補修の要否を判定するにあたり、計測対象平面Ｓ２の凹凸量が重要であるが、凹凸量とともに計測対象平面Ｓ２の傾斜角度も重要である。例えば作業者は、凹凸計測装置１が所定距離を走行する毎に、凹凸計測装置１の高度を、図６に示す例のようにして計測することで、計測対象平面Ｓ２の傾斜角度を得ることができる。
【００４６】
図６において、計測基準位置６１は、予め絶対高度が判明している位置であり、計測対象平面Ｓ２の凹凸量を計測中の凹凸計測装置１の高度を計測するための基準位置である。また装置基準位置６２は、凹凸計測装置１の高度計測用スタッフ３１の所定位置であり、凹凸計測装置１の基準位置である。また高度計測用レベル６４は、計測基準位置６１に配置されて凹凸計測装置１の高度を計測するための装置である。
【００４７】
例えば作業者は、計測基準位置６１から距離Ｄａｂだけ離れたＢ地点における凹凸計測装置１の装置基準位置６２に向けて、水平方向に向けた高度計測用レベル６４の照準を合わせる。そして作業者は、Ｂ地点からさらに距離Ｄｂｃだけ離れたＣ地点に凹凸計測装置１が達した際、水平方向に向けた高度計測用レベル６４の照準の先にある高度計測用スタッフ３１の目盛３５を読み取ることで、Ｂ地点からＣ地点までの計測対象平面Ｓ２の距離に対する高度（あるいは傾斜角度）を得ることができる。凹凸計測装置１の高度を計測する作業者は、計測基準位置６１において、凹凸計測装置１の走行距離に対応させた高度を定期的に計測して記録しておく。例えば導水路内が暗所であっても、高度計測用スタッフ３１にはＬＥＤ照明３４が取り付けられているので、作業者は、容易に目盛３５を視認することができる。また計測対象平面Ｓ２が左右方向に傾斜していても、高度計測用スタッフ３１は鉛直方向を向くように揺動するので、より正確な計測対象平面Ｓ２の傾斜角度を得ることができる。
【００４８】
●［拡張インターフェース７０の構成と、各検出手段からの検出信号の流れ（図７）］
次に図７を参照して、拡張インターフェース７０の構成と、各検出手段からの検出信号の流れについて説明する。拡張インターフェース７０は、インターフェース本体部７１と、ＰＣカード７２と、デジタルボード７３と、アナログボード７４等を有している。またＰＣ８０は、アナログ信号またはデジタル信号、のいずれかを取り込み可能であるＰＣカード７２を接続可能な１個のスロット８１を備えている。またカウンタ７５には凹凸計測装置１の走行距離に応じた信号が入力され、カウンタ７５（前述したエンコーダ４４とあわせて計測タイミング発生手段に相当）は拡張インターフェース７０及びＰＣ８０が各検出信号を取り込むタイミングとなるトリガ信号ＴＲＧ（タイミング信号に相当）を出力する。
【００４９】
インターフェース本体部７１は、デジタルボード７３に入力されたデジタル信号と、アナログボード７４に入力されたアナログ信号と、をトリガ信号ＴＲＧに同期させて取り込む。そしてインターフェース本体部７１は、取り込んだデジタル信号と、取り込んだアナログ信号から変換したデジタル信号と、をＰＣカード７２からデジタル信号として出力する。従って、拡張インターフェース７０には、アナログ信号とデジタル信号とが入力されるが、ＰＣカード７２から出力されるのはデジタル信号である。このため、ＰＣ８０が、アナログ信号またはデジタル信号、のいずれかを取り込み可能なスロット８１を１個のみを有している場合であっても、アナログ信号を出力する検出手段と、デジタル信号を出力する検出手段とを混在させて使用することが可能である。なお、デジタルボード７３には複数のデジタル信号を入力可能であり、アナログボード７４には複数のアナログ信号を入力可能であり、ＰＣカード７２は複数のデジタル信号を出力可能である。
【００５０】
上述した各検出手段において、例えばデジタル信号を出力するデジタル検出手段は、計測対象平面Ｓ２の凹凸量に応じた検出信号を出力する光センサ２２、凹凸計測装置１の走行距離に応じた検出信号を出力するエンコーダ４４等が有る（図１参照）。また、例えばアナログ信号を出力するアナログ検出手段は、凹凸計測装置１の前後方向傾斜角度に応じた検出信号と左右方向傾斜角度に応じた検出信号とを出力する傾斜検出手段５０（傾斜検出装置等）、凹凸計測装置１から導水路内の壁面までの左右方向の距離に応じた検出信号を出力する距離計測手段６０が有る（図１参照）。
【００５１】
なお、例えばエンコーダ４４は、トリガ用の第１所定距離（例えば１ｍｍ）毎の第１検出信号４４Ｔと、距離計測用の第２所定距離（例えば５０ｍｍ）毎の第２検出信号４４Ｋと、を出力する。そして第１検出信号４４Ｔはカウンタ７５に入力され、第２検出信号４４Ｋはデジタルボード７３に入力されている。そしてカウンタ７５は、入力された第１検出信号４４Ｔに基づいて、例えば、ＰＣ８０からＰＣカード７２及びインターフェース本体部７１を経由させた設定信号ＴＣ、あるいは、ＰＣ８０から直接出力した設定信号ＴＣで、設定されたトリガ間隔（例えば１ｍｍや１０ｍｍ等）にて、トリガ信号ＴＲＧを出力する。カウンタ７５には、例えば１ｍｍ毎に入力された第１検出信号４４Ｔを２分周に出力（２ｍｍ毎出力）や５分周に出力（５ｍｍ毎出力）や１０分周に出力（１０ｍｍ毎出力）等する分周設定手段が設けられている。なお第２検出信号４４Ｋは、トリガ信号ＴＲＧ（第１検出信号４４Ｔ）と同期して出力される。そしてトリガ信号ＴＲＧは、デジタルボード７３、アナログボード７４、インターフェース本体部７１に入力されている。またデジタルボード７３には、他にも、光センサ２２からの検出信号が入力されている。またアナログボード７４には、傾斜検出手段５０からの前後方向傾斜角度に応じた検出信号と左右方向傾斜角度に応じた検出信号や、距離計測手段６０からの検出信号が入力されている。そして拡張インターフェース７０は、トリガ信号ＴＲＧが入力されると、トリガ信号ＴＲＧが入力された時点におけるデジタルボード７３及びアナログボード７４に入力されている各検出信号（アナログ信号はインターフェース本体部７１にてデジタル信号に変換して）とトリガ信号ＴＲＧを、ＰＣカード７２を介してデジタル信号としてＰＣ８０に出力する。
【００５２】
●［ＰＣ８０の処理手順（図８）と、計測した計測対象平面の状態等（図９）］
次に図８に示すフローチャートを用いて、各検出手段からの検出信号を取り込むＰＣ８０の処理手順について説明する。図８に示す処理は、カウンタ７５からのトリガ信号ＴＲＧ（図７参照）に同期して起動される。なお、以下の説明では、図７におけるカウンタ７５からのトリガ信号ＴＲＧは１０ｍｍ毎に入力され、エンコーダ４４からの第２検出信号４４Ｋは５０ｍｍ毎に入力される、という設定の例で説明する。
【００５３】
ステップＳ１０にてＰＣ８０は、エンコーダ４４からの第２検出信号４４ＫがＰＣカードから入力されているか否かを判定し、第２検出信号４４Ｋが入力されている場合（Ｙｅｓ）はステップＳ２０Ａに進み、第２検出信号４４Ｋが入力されていない場合（Ｎｏ）はステップＳ２０Ｂに進む。そしてステップＳ２０Ａに進んだ場合、ＰＣ８０は、基準距離に第２検出信号間隔（この場合、５０ｍｍ）を加算し、基準距離を更新して記憶し、更新した基準距離を走行距離に設定して記憶し、ステップＳ３０に進む。またステップＳ２０Ｂに進んだ場合、ＰＣ８０は、走行距離にトリガ信号間隔（この場合、１０ｍｍ）を加算し、走行距離を更新して記憶し、ステップＳ３０に進む。なお、ステップＳ１０〜ステップＳ２０Ａ、２０Ｂの処理によって求められた「走行距離」と「基準距離」の関係を下図に示す。（トリガ信号間隔＝１０ｍｍ、第２検出信号間隔＝５０ｍｍ）に設定されている場合、通常の状態では、区間Ａ、及び区間Ｄに示すように、基準距離が更新される間隔では、トリガ信号が５回検出されるはずである。しかし、ノイズ等の種々の外部要因によってトリガ信号が抜けた場合（区間Ｂ）や、トリガ信号が多発した場合（区間Ｃ）であっても、第２検出信号が入力される毎に、走行距離を、正しい距離へと修正することができる。なお以上の説明では、第２検出信号４４Ｋはトリガ信号ＴＲＧよりも信頼性が高い、と想定している。
【００５４】
ステップＳ３０にてＰＣ８０は、傾斜検出手段５０からの前後方向傾斜角度に応じた検出信号をＰＣカードから取り込んで前後方向傾斜角度を算出して記憶し、傾斜検出手段５０からの左右方向傾斜角度に応じた検出信号をＰＣカードから取り込んで左右方向傾斜角度を算出して記憶し、ステップＳ４０に進む。またステップＳ４０にてＰＣ８０は、光センサ２２からの凹凸量に応じた検出信号をＰＣカードから取り込んで仮凹凸量を算出して記憶し、ステップＳ５０に進む。
【００５５】
ステップＳ５０にてＰＣ８０は、ステップＳ３０にて算出した前後方向傾斜角度及び左右方向傾斜角度を用いて、ステップＳ４０にて算出した仮凹凸量を鉛直方向の凹凸量へと補正し、補正した凹凸量を走行距離に対応させて記憶し、ステップＳ６０に進む。なおＰＣ８０は、走行距離に対応させた鉛直方向の凹凸量を用いることで、図９（Ａ）に示す「走行距離・凹凸量特性」のグラフを作成することができる。この「走行距離・凹凸量特性」のグラフには、走行距離（横軸）の位置に応じた（鉛直方向の）凹凸量（縦軸）が記録されている。
【００５６】
ステップＳ６０にてＰＣ８０は、凹凸計測装置１の左方向に向けられた距離計測手段６０（図１参照）からの検出信号をＰＣカードから取り込んで、凹凸計測装置１から導水路の左壁面までの距離を算出する。またＰＣ８０は、凹凸計測装置１の右方向に向けられた距離計測手段６０（図１参照）からの検出信号をＰＣカードから取り込んで、凹凸計測装置１から導水路の右壁面までの距離を算出する。そしてＰＣ８０は、導水路の左壁面までの距離、及び導水路の右壁面までの距離、をＰＣ８０の表示手段に表示して、処理を終了する。凹凸計測装置１の走行を誘導している作業者は、ＰＣ８０に表示された導水路の左壁面までの距離、及び導水路の右壁面までの距離、を確認することができる。そして作業者は、導水路のほぼ中央を走行するように凹凸計測装置１を誘導しているか否か、中央からどれくらい左（あるいは右に）偏った位置を走行しているか否か等を認識し、凹凸計測装置１の走行経路を、導水路のほぼ中央へと修正することができる。
【００５７】
なお、図６を用いて説明した高度計測方法の例にて記録しておいた、走行距離に対応させた高度を用いることで、ＰＣ８０は、図９（Ｂ）に示す「走行距離・高度特性」のグラフを作成することができる。この「走行距離・高度特性」のグラフでは、計測対象平面の凹凸の無い傾斜状態が表されている。
【００５８】
そしてＰＣ８０は、作成した「走行距離・凹凸量特性」（図９（Ａ））と、作成した「走行距離・高度特性」（図９（Ｂ））と、の合成が指示されると、「走行距離・凹凸量特性」と「走行距離・高度特性」とを合成した「走行距離・計測対象平面状態特性」（図９（Ｃ））を作成する。この「走行距離・計測対象平面状態特性」において、一点鎖線にて示されている計測対象平面は、凹凸のない理想的な計測対象平面である「理想平面」を表している。また「走行距離・計測対象平面状態特性」において、「理想平面」の上方や下方に突出している突出量が、実際の凹凸量（鉛直方向の凹凸量）であることを示している。従って作業者等は、「理想平面」から上方に所定量以上の凸形状を有する個所、及び「理想平面」から下方に所定量以上の凹形状を有する個所は、計測対象平面の補修を必要としている個所である、と判断することができる。このように、計測対象平面において補修するべき位置の特定を、適切に支援することができる。
【００５９】
●［導水路断面における計測対象平面Ｓ２上の計測位置（図１０）］
図１０を参照して、凹凸計測手段２０を本体部１０の横方向に４箇所設けた例について、その構成と動作等について説明する。ただし、２０Ａ〜２０Ｄは凹凸計測手段２０であり、高度計測支援手段３０及び走行距離計測手段４０等は図１０中では省略している。なお、図１０において、Ｘ軸、Ｙ軸、Ｚ軸は互いに略直交しており、Ｚ軸方向は鉛直方向、Ｘ軸方向は凹凸計測装置１の左右方向、Ｙ軸方向は凹凸計測装置１の進行方向を示している。図１０では、凹凸計測手段２０が本体部１０の横方向に４箇所（２０Ａ、２０Ｂ、２０Ｃ、２０Ｄ）設けられている。導水路幅ＸＫに対して、距離ａ及びｂをレーザ光６０Ｌを用いて計測することにより、凹凸計測手段２０Ａ、２０Ｂ、２０Ｃ、２０ＤのＸ座標Ｘ１、Ｘ２、Ｘ３、Ｘ４が特定できる。計測対象平面Ｓ２の凹凸計測手段２０Ａ、２０Ｂ、２０Ｃ、２０Ｄの個所の初期状態からの凹凸量を計測することにより摩耗による左右方向の概略の洗掘量（図１０中における断面積ＤＭ１）が計測できる。さらに凹凸計測装置１の進行方向（Ｙ軸方向）について計測対象平面Ｓ２の各凹凸計測手段２０Ａ、２０Ｂ、２０Ｃ、２０Ｄの個所の凹凸量を計測してデータ収集することにより左右方向の洗掘量（上記の断面積ＤＭ１）を進行方向（Ｙ軸方向）について積分して、洗掘量の全体の体積を算出することが出来る。この洗掘量（全体の体積）が算出できれば、計測対象平面Ｓ２の補修に必要な工事数量、例えばセメント量等の材料費を容易に算出できる。なお、１台の凹凸計測装置１に設ける凹凸計測手段２０の数は４つに限定されず、４つよりも多くても少なくてもよい。
【００６０】
本発明の凹凸計測装置１は、本実施の形態で説明した外観、構成、形状、処理手順等に限定されず、本発明の要旨を変更しない範囲で種々の変更、追加、削除が可能である。例えば前述したように凹凸計測手段２０を本体部の左右方向に複数配置して、凹凸計測装置１に対して左右方向の複数個所の凹凸量を同時に計測してもよいし、処理手順は図８に示した処理手順に限定されるものではない。
また、凹凸計測手段の構成や、距離計測手段の構成や、車輪間隔調整機構の構成や、高度計測支援手段の構成や、拡張インターフェースの構成等は、本実施の形態にて説明した構成に限定されず、他の構成で実現されるようにしてもよい。
また、以上（≧）、以下（≦）、より大きい（＞）、未満（＜）等は、等号を含んでも含まなくてもよい。
また、本実施の形態の説明に用いた数値は一例であり、この数値に限定されるものではない。
【産業上の利用可能性】
【００６１】
本実施の形態にて説明した凹凸計測装置１は、計測対象平面としての導水路底面の凹凸量の計測用に限定されず、数ｍ〜数ｋｍ等の比較的長い種々の計測対象平面の凹凸量の計測に適用することができる。また計測した計測対象平面の凹凸量は、補修時期の判断に限定されず、種々の目的に利用することができる。
【符号の説明】
【００６２】
１          凹凸計測装置
１０        本体部
１１        走行用車輪
１２        蓄電池ケース
１３        下方照明器
１４        車軸受け
１５        車軸
２０        凹凸計測手段
２１        凹凸計測用車輪
２２        光センサ（位置検出手段）
２３        上下移動部材
２４        ブラケット（上下案内板）
２５        付勢バネ
２６        目盛
３０        高度計測支援手段
３１        高度計測用スタッフ
３２        鉛直合わせ重り
３３        旋回軸部材
３４        ＬＥＤ照明
３５        目盛
４０        走行距離計測手段
Ｚ４０      仮想回動軸
４１        走行距離計測用車輪
４２、４３  ベベルギア
４４        エンコーダ（計測タイミング発生手段）
４４Ｔ      第１検出信号
４４Ｋ      第２検出信号
４５        回動支持具
４６        台座
４７        回動軸部材
５０        傾斜検出手段
６０        距離計測手段
６０Ｌ      レーザ光
６１        計測基準位置
６２        装置基準位置
６４        高度計測用レベル（水準儀）
７０        拡張インターフェース
７１        インターフェース本体部
７２        ＰＣカード
７３        デジタルボード
７４        アナログボード
７５        カウンタ（計測タイミング発生手段）
８０        パーソナルコンピュータ（ＰＣ）
８１        スロット
Ｄ１        ダム
Ｇ１        ゲート
Ｓ１        導水路
Ｓ２        計測対象平面（導水路底面）
ＴＲＧ      トリガ信号
ＷＷ        車輪間隔
ＸＫ        導水路幅
【図１】
2015155821.tif 000003
【図２】
2015155821.tif 000004
【図３】
2015155821.tif 000005
【図４】
2015155821.tif 000006
【図５】
2015155821.tif 000007
【図６】
2015155821.tif 000008
【図７】
2015155821.tif 000009
【図９】
2015155821.tif 000010
【図１０】
2015155821.tif 000011
【図１１】
2015155821.tif 000012
【図１２】
2015155821.tif 000013
【図１３】
2015155821.tif 000014
【図１４】
2015155821.tif 000015
【図８】
2015155821.tif 000016